(57)【要約】【課題】輸送等の上下振動により飲料缶が上部から押さえつけられても、タブがスコアを押し込みにくく、スコアの破断と、内容物の漏洩が抑制される缶蓋及び飲料缶を提供すること。【解決手段】缶蓋本体１０に、リベット１１と、スコア１４と、タブ１８とを備え、リベット１１の周辺部に圧印部１２が形成された缶蓋１であって、タブ１８は他端部１８ｂの外周縁にカール形状部１８ｇが形成され、缶蓋本体１０には、前記カール形状部１８ｇと対応する位置にひとつの凸形状部１５Ａが形成され、前記凸形状部１５Ａは、前記リベット１１を中心とした前記スコア１４の最外周に位置する点と前記リベット１１の中心とを結ぶ線をＹ軸とし、前記リベット１１の中心を通過し前記Ｙ軸と直交する線をＸ軸としたときに、前記Ｙ軸方向における位置が前記Ｘ軸と前記他端部１８ｂ側の前記圧印部外周縁１２ａとの間に配置されていることを特徴とする。【選択図】図１
2008247403.tif 000002
【特許請求の範囲】
【請求項１】
缶蓋本体に、上方に向って凸とされたリベットと、
破断されることにより缶蓋本体との間に接続部を残して開口部を形成するスコアと、
前記缶蓋本体上下面における前記リベットに連なる該リベットの周辺部に前記缶蓋本体上下面のうち前記周辺部を除く他の部分より高硬度の圧印部とが形成され、
前記リベットに、前記開口部の上に重なる一端部と前記リベットを挟んで反対側に位置する他端部とが形成されたタブが取り付けられた缶蓋であって、
前記タブは前記他端部の外周縁にカール形状部が形成されて、
前記缶蓋本体には、前記カール形状部と対応する位置に上方に向かって突出し前記カール形状部と接触可能なひとつの凸形状部が形成され、
前記凸形状部は、
前記缶蓋本体を平面視したときの、前記リベットを中心とした前記スコアの最外周に位置する点と前記リベットの中心とを結ぶ線をＹ軸とし、前記リベットの中心を通過し前記Ｙ軸と直交する線をＸ軸としたときに、
前記Ｙ軸方向における位置が前記Ｘ軸と前記他端部側の前記圧印部外周縁との間とされ、かつＸ軸方向における位置が前記Ｙ軸を挟んで前記接続部と反対側の位置に配置されていることを特徴とする缶蓋。
【請求項２】
請求項１記載の缶蓋であって、
前記凸形状部は、前記タブの長手方向に延在して形成されていることを特徴とする缶蓋。
【請求項３】
請求項１記載の缶蓋であって、
前記凸形状部は、前記カール形状部と交差する方向に延在して形成されていることを特徴とする缶蓋。
【請求項４】
請求項１から請求項３のいずれかに記載の缶蓋を巻き締めたことを特徴とする飲料缶。
【発明の詳細な説明】
【技術分野】
【０００１】
本発明は、缶体に巻締められる缶蓋に関するものである。
【背景技術】
【０００２】
周知のように、飲料缶は、缶蓋本体の上面にリベットにより取り付けられたタブと缶蓋に開口部を画成するスコアとを備えた缶蓋が、有底筒状の缶体に内容物が充填された後に巻き締めて飲料缶とされている。
【０００３】
このように内容物が入れられた飲料缶を、例えば、段ボール箱に収納してトラックに積載して輸送する場合の振動によって段ボール箱が上下振動して段ボール箱内の飲料缶が上部から押さえつけられるとともにタブがスコアを押し込んでスコアが破断、飲料缶から内容物が漏れてしまうという虞があった。
【０００４】
そのため、タブの厚さを薄くしてタブとスコアとの間隔を大きくして接触しにくくした缶蓋や、リベットを挟んで開口部と反対側に位置するタブの他端側を部分的に上方に折り曲げてスコアと接触しにくくした缶蓋に関する技術が開示されている（例えば、特許文献１、特許文献２参照）。
【特許文献１】特許第２７６８２５４号公報
【特許文献２】実用新案登録第２５３６９５０号公報
【発明の開示】
【発明が解決しようとする課題】
【０００５】
しかしながら、引用文献１に記載された缶蓋は、タブの厚さが薄く形成されているために開口する際にタブに変形が発生しやすいという問題があり、引用文献２に記載された缶蓋は、飲料缶としたときに内圧の影響を受け易いという問題がある。
【０００６】
本発明は、このような事情を考慮してなされたもので、輸送等の上下振動により飲料缶が上部から押さえつけられても、タブがスコアを押し込みにくく、その結果、スコアの破断と、内容物の漏洩が抑制される缶蓋及び飲料缶を提供することを目的とする。
【課題を解決するための手段】
【０００７】
このような課題を解決して、前記目的を達成するために、請求項１記載の発明は、缶蓋本体に、上方に向って凸とされたリベットと、破断されることにより缶蓋本体との間に接続部を残して開口部を形成するスコアと、前記缶蓋本体上下面における前記リベットに連なる該リベットの周辺部に前記缶蓋本体上下面のうち前記周辺部を除く他の部分より高硬度の圧印部とが形成され、前記リベットに、前記開口部の上に重なる一端部と前記リベットを挟んで反対側に位置する他端部とが形成されたタブが取り付けられた缶蓋であって、前記タブは前記他端部の外周縁にカール形状部が形成されて、前記缶蓋本体には、前記カール形状部と対応する位置に上方に向かって突出し前記カール形状部と接触可能なひとつの凸形状部が形成され、前記凸形状部は、前記缶蓋本体を平面視したときの、前記リベットを中心とした前記スコアの最外周に位置する点と前記リベットの中心とを結ぶ線をＹ軸とし、前記リベットの中心を通過し前記Ｙ軸と直交する線をＸ軸としたときに、前記Ｙ軸方向における位置が前記Ｘ軸と前記他端部側の前記圧印部外周縁との間とされ、かつＸ軸方向における位置が前記Ｙ軸を挟んで前記接続部と反対側の位置に配置されていることを特徴とする。
【０００８】
この発明に係る缶蓋によれば、タブが他端部の外周縁にカール形状部が形成されるとともに、このカール形状部に対応する位置にひとつの凸形状部が形成されているので、タブのカール形状部が凸形状部と接触、支持されてタブがスコアから離間される。
また、平面視して、凸形状部が、Ｙ軸方向においてＸ軸と前記他端部側の圧印部外周縁との間の位置に配置され、かつスコアが破断されて開口部が形成された場合に残される缶蓋本体と開口片との接続部とＹ軸を挟んで反対側、すなわち缶蓋本体の径方向外方に凸とされる舌片状の開口部を画成するスコアに対してリベット近傍から延在するスコアが形成される側にあるので、タブとリベット近傍から延在する部分のスコアとが離間されてスコアの破断が抑制される。
また、缶蓋が飲料缶に巻き締められるとともに缶内が正圧とされて缶蓋がわずかにドーム状となった場合であっても凸形状部がタブを支持して、タブがスコアを押さえつけることが抑制される。
また、凸形状部が、リベットを挟んで開口部と反対側の他端部側に形成されるので、タブの引き上げ部が持ち上がり易く、開口部を形成する一端部側は浮き上がることがない。また、凸形状部がひとつだけ形成されていて、缶蓋単体時のタブの浮き上がりが抑制されるので缶蓋が容易に搬送可能とされる。
また、タブは他端部の外周縁にカール形状部が形成されていることによりタブの強度が確保されて、凸形状部により支持された状態や、開口操作時、流通過程においてタブの変形が抑制され、タブが凸形状部に安定して支持される。
【０００９】
請求項２記載の発明は、請求項１記載の缶蓋であって、  前記凸形状部は、前記タブの長手方向に延在して形成されていることを特徴とする。
【００１０】
この発明に係る缶蓋によれば、凸形状部がタブの長手方向に延在して形成されているので、缶蓋本体に凸形状部を成形する際のメタルフローの影響をスコアが受けにくく、その結果、開口する際に必要な力のばらつきを小さくするとともに外力による開口が抑制される。
【００１１】
請求項３記載の発明は、請求項１記載の缶蓋であって、前記凸形状部は、前記カール形状部と交差する方向に延在して形成されていることを特徴とする。
【００１２】
この発明に係る缶蓋によれば、凸形状部がカール形状部と交差する方向に延在して形成されているので、カール形状部の寸法にばらつきがある場合や、タブがリベット廻りに回動した場合でも、カール形状部が凸形状部からはずれにくく、タブが凸形状部により確実に支持されて、タブがスコアを押し込むことが抑制される。
【００１３】
また、請求項４に記載の発明は、請求項１から請求項３のいずれかに記載の缶蓋を巻き締めたことを特徴とする飲料缶である。
【発明の効果】
【００１４】
この発明によれば、内容物が充填された飲料缶において、缶蓋に取り付けられたタブがスコアを押し込みにくくスコアの破断が抑制され、その結果、スコアから飲料缶の内容物が漏洩するのを抑制することができる。
【発明を実施するための最良の形態】
【００１５】
以下、図面を参照し、この発明の実施の形態について説明する。
図１および図２は、この発明の第１の実施形態として示した缶蓋の概略構成を示すものであり、符号１は缶蓋を、符号１０は缶蓋本体を示している。
【００１６】
この缶蓋１は、缶蓋本体１０の上面（以下、「缶蓋本体上面」という）１０ａに、上方に向けて凸とされたリベット１１と、圧印部１２と、開口部１３を画成する主スコア（スコア）と、凸形状部１５Ａと、ディンプル１６とが形成され、ディンプル１６は、リベット１１を挟んで開口部１３と反対側に配置されている。
【００１７】
リベット１１には、開口部１３の上に一端部１８ａが、ディンプル１６の上に他端部１８ｂが重なるようにタブ１８が取り付けられ、缶蓋本体１０上下面におけるリベット１１に連なるリベット１１の周辺部には、缶蓋本体上面１０ａの中で他の部位よりも硬度が高くされた圧印部１２がコイニング加工により形成されている。
また、缶蓋本体１０及びタブ１８は、それぞれ純アルミニウム若しくはアルミニウム合金により形成されている。
【００１８】
缶蓋本体上面１０ａの外周縁部には、全周に亙って凹溝１９が形成されるとともに、この凹溝１９の外周縁部に連なって、缶蓋本体上面１０ａの上方に向って延び、かつ径方向外方に折り返された折り返し部２１が形成されている。
なお、この缶蓋は、飲料用の缶に用いられるいわゆるステイオンタブ式缶蓋であって、折り返し部２１が缶体の開口部に巻き締められた状態の缶において、折り返し部２１の外径は約５０ｍｍ〜６１ｍｍとされる。
【００１９】
主スコア１４は、缶蓋本体１０を平面視したときに、他端部１４ａ側が缶蓋本体上面１０ａの径方向外方へ凸とされた舌片状に形成されるとともにその一端部１４ｂは缶蓋本体上面１０ａにおけるリベット１１の周縁部に位置されている。
【００２０】
主スコア１４が破断された場合、缶蓋本体１０との接続部分を残して舌片状とされた開口部１３と、主スコア１４の破断部によって囲まれた開口片１４ｃが形成されるようになっている。
【００２１】
この明細書において、缶蓋本体１０を平面視したときに、リベット１１を中心として主スコア１４の最外周に位置する点と、リベット１１の中心点とを結ぶ線をＹ軸とし、リベット１１の中心点を通過しＹ軸と直交する線をＸ軸と定義する。
【００２２】
タブ１８は、タブ本体外周縁を下方に折り曲げるとともにその先端側でさらに内周側に折り曲げたカール形状部１８ｇが略全周にわたって形成されており、タブ１８の他端部１８ｂには、このタブ１８の厚さ方向に開口したフィンガーホール１８ｃが形成され、このフィンガーホール１８ｃを画成する周壁部のうち、タブ１８の前記他端に位置する周壁部が、この缶蓋の開口部１３を開口する際に引き上げる引き上げ部１８ｄとされている。
【００２３】
凸形状部１５Ａは、Ｙ軸方向における位置がＸ軸とタブの他端部側の圧印部外周縁１２ａとの間に、タブ１８の長手方向に延在して形成されている。この実施の形態において、タブ１８の長手方向は、Ｙ軸と略一致して形成されている。
【００２４】
また、凸形状部１５Ａは、缶蓋本体上面１０ａに上方に向かって凸とされ、この実施の形態において、平面視したときに長さが１．５〜３．０ｍｍ、幅が０．６〜１．０ｍｍの略長円形状とされ、缶蓋本体上面１０ａから立ち上る壁部と頂部との接続部分が緩やかなＲ形状とされた高さが０．２〜０．４ｍｍに形成されている。
【００２５】
凸形状部１５ＡのＸ軸方向における位置は、平面視して、カール形状部１８ｇと対応する位置とされ、かつ主スコア１４が破断されて開口部１３が形成された場合に、缶蓋本体１０と開口片１４ｃとの間に残される接続部とＹ軸を挟んで反対側、すなわち缶蓋本体１０の開口部１３を画成する主スコア１４に対してリベット１１近傍から延在するスコアが形成されている側とされる。
これは、長距離輸送等による振動によってスコアが破断される場合、カール形状部１８ｇが、主スコア１４に対してリベット１１近傍から延在するこの部分のスコアを押圧して破断させることが原因であり、最も大きい効果が期待されるためである。
また、凸形状部１５Ａとカール形状部１８ｇとの最も他端側で接触する部分がＹ軸方向において圧印外周縁１２ａと同位置とされている。
【００２６】
Ｙ軸方向における凸形状部１５Ａの位置がＸ軸とタブの他端部側の圧印部外周縁１２ａとの間とされるのは、圧印部外周縁１２ａよりも外方の他端側に位置すると凸形状部１５Ａによりカール形状部１８ｇを支持してもタブ１８を主スコア１４から充分に離間させにくく、特に飲料缶１００内部が正圧とされると缶蓋１がドーム状になりカール形状部１８ｇと凸形状部１５Ａがさらに接触しにくくなるためである。
【００２７】
ディンプル１６は、缶蓋本体上面１０ａに２つ形成されており、これらのディンプル１６、１６はそれぞれ、開口部１３若しくはタブ１８の幅方向における中央部と缶蓋本体１０の中心軸線とを結ぶ直線を挟んで互いに対向して位置するように形成されている。そして、これらのディンプル１６、１６の上に、タブ１８のフィンガーホール１８ｃを画成する周壁部のうち、フィンガーホール１８ｃを挟んで引き上げ部１８ｄのリベット１１側に配置された第２周壁部１８ｅの両端部の下面側に配置されている。
【００２８】
すなわち、ディンプル１６はタブ１８の他端部１８ｂにおける下面側の外縁部が引っ掛かかる位置に形成されており、これにより、タブ１８に前記中心軸線を中心に回転しようとする力が作用した場合でも、タブ１８の前記外縁部がディンプル１６、１６に引っ掛かり、このタブ１８がリベット１１廻りに回動するのを抑制するようになっている。
【００２９】
また、缶蓋本体上面１０ａには、凹溝１９のうち、タブ１８の一端部１８ａから他端部１８ｂに向かう方向で引き上げ部１５ｄに対向する部分とディンプル１６と間に、凹溝１９とは独立した指かけ凹部１０ｂが形成されている。
【００３０】
ここで、タブ１８において一端部１８ａと他端部１８ｂとの間がリベット１１に取り付けられたタング部１８ｆとされ、このタング部１８ｆに形成されたリベットホール１８ｈにリベット１１が挿入されてタング部１８ｆの下面が缶蓋本体上面１０ａに当接した状態で、このタング部１８ｆがリベット１１に取り付けられている。
【００３１】
なお、リベット１１にタブ１８を取り付けるには、径方向中央部が平坦面とされた缶蓋本体部材に、まず、上方に向けて凸とされたニップル部を押圧成形し、その後タブ１８のリベットホール１８ｈに前記ニップル部を挿入した状態で、このニップル部を缶蓋本体部材の上面側から押し潰し、その上端部を拡径してリベット１１に形成するとともに、このリベット１１にタブ１８を取り付ける。
【００３２】
次に、第１の実施形態に係る缶蓋１の作用について説明する。
缶蓋１は、有底筒状の缶体１０１に内容物を充填後に缶体の上部に形成された開口部に巻き締められて、図３に示すような飲料缶１００とされる。
【００３３】
缶蓋１が巻き締められて飲料缶とされた後、例えば、段ボール箱に収納されて運搬され、上下振動により飲料缶は上方から下方に押さえられることがあるが、このとき、タブ１８に形成されたカール形状部１８ｇは、凸形状部１５Ａの上部に接触することで缶蓋本体上面１０ａから離間した位置に支持され、タブ１８が主スコア１４を直接押圧することがないため、主スコア１４の破断が抑制される。
【００３４】
また、飲料缶の内部に、例えば、ＣＯ２ガスが充填されて正圧状態で飲料缶に巻き締められた場合には、図３に示すように、缶蓋の中央がわずかに突出したドーム状に変形するが、凸形状部１５Ａが缶蓋本体１０の中央部に形成されたリベット１１の近傍に配置されていてタブ１８と凸形状部１５Ａとの上下方向（缶軸方向）の変位が小さいので、缶蓋１がドーム形状に変形されても凸形状部１５Ａがタブ１８のカール形状部１８ｇを主スコア１４から充分に離間させる。
【００３５】
上記第１の実施形態に係る缶蓋１及びこの缶蓋１が巻き締められた飲料缶によれば、缶蓋１が缶体１０１に巻き締められた状態において、さらに、飲料缶１００が正圧の状態においても、タブ１８が凸形状部１５Ａに支持されるので主スコア１４が押し込まれることがなくスコア１４の破断が抑制される。
【００３６】
また、凸形状部１５Ａが、リベット１１を挟んで開口部１３と反対側の他端部１８ｂ側に形成されるので、飲料缶１００が正圧状態とされて缶蓋１がドーム状に変形しても、開口部１３を形成する一端部１８ａ側は浮き上がらずタブ１８の引き上げ部１８ｄが缶蓋本体上面１０ａから浮き上がり易いので、タブ１８の指掛かりが向上して開口部１３を容易に開口することができる。
また、凸形状部１５Ａがひとつだけ形成されていて、缶蓋１単体におけるタブ１８の浮き上がりが抑制されるので缶蓋１が容易に搬送可能とされる。
【００３７】
また、凸形状部１５Ａがタブの長手方向に延在して形成されているので、缶蓋本体１０に凸形状部１５Ａを成形する際に、主スコア１４や主スコア１４に形成される開口部１３を開口させる際のポップ、ティア操作時に内圧を排出させるためのベントフィーチャー部（図示せず）に大きな影響を与えるようなメタルフローが生じにくく、その結果、主スコア１４の劣化が抑制されるとともに主スコア１４を破断させて開口部１３を開口するのに必要な力のばらつきを小さくすることができる。
【００３８】
次に、この発明の第２の実施形態について説明する。図４は、第２の実施形態に係る缶蓋本体１０の概略を説明する図である。
第２の実施形態に係る缶蓋１が第１の実施形態と異なるのは、凸形状部１５Ｂが、カール形状部１８ｇの延在する方向に対して交差するように形成されている点であり、その他は第１の実施形態と同様であるので同一の符号を付してその説明を省略する。
【００３９】
第２の実施形態に係る缶蓋１によれば、凸形状部１５Ｂがカール形状部１８ｇと交差する方向に延在して形成されているので、タブ１８のカール形状部１８ｇの寸法（幅、リベット１１からの位置等）にばらつきがある場合や、タブ１８がリベット廻りに回動した場合であっても、カール形状部１８ｇが凸形状部１５Ｂからはずれにくく、タブ１８が主スコア１４を押し込むことが確実に抑制される。
【００４０】
なお、本発明の技術的範囲は上記第１、第２の実施形態に限定されるものではなく、本発明の趣旨を逸脱しない範囲において種々の変更を加えることが可能である。
【００４１】
また、凸形状部１５Ａ、１５Ｂが平面視して長円とされる場合について説明したが、凸形状部１５Ａ、１５Ｂの形状は、平面視したときの形状が、三角形、四角形をはじめとする多角形、円形、楕円形とされてもよい。
【００４２】
また、上記実施の形態においては、カール形状部１８ｇがタブ１８の略全周にわたって形成されている場合について説明したが、カール形状部１８ｇは、凸形状部１５Ａ、１５Ｂに対応する位置を含むタブ１８の外周の一部のみに形成させてもよい。
【００４３】
また、上記実施の形態においては、凸形状部１５Ａ、１５Ｂが、タブ１８の長手方向、又はカール形状部１８ｇと交差する方向に延在して形成される場合について説明したが、凸形状部が延在する方向は任意に設定することが可能である。
【産業上の利用可能性】
【００４４】
飲料缶に巻き締められた状態で上下方向の振動を受けてもスコアが破断し難くすることにより、内容物が漏洩するのを抑制することができる。
【図面の簡単な説明】
【００４５】
【図１】本発明の第１の実施形態に係る缶蓋を説明する平面図である。
【図２】本発明の第１の実施形態に係る缶蓋の断面図であり、（Ａ）は、図１におけるＳ−Ｓ視、（Ｂ）は、図１におけるＴ−Ｔ視した縦断面を示す図である。
【図３】第１の実施形態に係る缶蓋が巻き締められた状態を示す縦断面図である。
【図４】本発明の第２の実施形態に係る缶蓋を説明する平面図である。
【符号の説明】
【００４６】
Ｘ  Ｘ軸
Ｙ  Ｙ軸
１  缶蓋
１０  缶蓋本体
１０ａ  缶蓋本体上面
１１  リベット
１２  圧印部
１２ａ  圧印部外周縁  
１３  開口部
１４  主スコア
１５、１５Ａ  凸形状部
１８  タブ
１８ａ  一端部（タブ）
１８ｂ  他端部（タブ）
１８ｇ  カール形状部
【図１】
2008247403.tif 000003
【図２】
2008247403.tif 000004
【図３】
2008247403.tif 000005
【図４】
2008247403.tif 000006